【手続補正書】
【提出日】平成29年5月22日(2017.5.22)
【手続補正１】
【補正対象書類名】特許請求の範囲
【補正対象項目名】全文
【補正方法】変更
【補正の内容】
【特許請求の範囲】
【請求項１】
データ・センタ・ネットワークのためのネットワーキング方法であって、
少なくとも２つの配置ユニットを提供するステップであり、各配置ユニットは、少なくとも２つのSpineスイッチと少なくとも１つのLeafスイッチとを含むステップと、
各配置ユニットの内部で、現在の配置ユニットの内部の各Leafスイッチと、前記現在の配置ユニットの内部の前記Spineスイッチのうち少なくとも２つのSpineスイッチとの間に接続を設定するステップと、
２つの配置ユニットごとの間で、第１の配置ユニットの内部の少なくとも１つのSpineスイッチと、第２の配置ユニットの内部の少なくとも１つのSpineスイッチとの間に接続を設定するステップと
を含むネットワーキング方法。
【請求項２】
各配置ユニットの内部で、前記現在の配置ユニットの内部の各Spineスイッチと、前記現在の配置ユニットの内部の各Leafスイッチとの間の接続が設定される、請求項１に記載のネットワーキング方法。
【請求項３】
少なくとも１つのSpineスイッチ・グループが、前記少なくとも２つの配置ユニットに含まれるSpineスイッチから決定され、前記Spineスイッチ・グループは、各配置ユニットの内部に少なくとも１つのSpineスイッチを含み、
前記Spineスイッチ・グループの内部で、各配置ユニットの各Spineスイッチと、他の配置ユニットのそれぞれの内部の各Spineスイッチとの間に接続が設定される、請求項２に記載のネットワーキング方法。
【請求項４】
前記少なくとも２つの配置ユニットに含まれるSpineスイッチにおいて、各Spineスイッチと、前記少なくとも２つの配置ユニットの内部の他のSpineスイッチのそれぞれとの間に接続が設定される、請求項２に記載のネットワーキング方法。
【請求項５】
少なくとも１つのSpineスイッチ・グループが、前記少なくとも２つの配置ユニットに含まれるSpineスイッチから決定され、前記Spineスイッチ・グループは、各配置ユニットの少なくとも１つのSpineスイッチを含み、
前記Spineスイッチ・グループの内部の各Spineスイッチと、前記Spineスイッチが位置する前記Spineスイッチ・グループの外部の各Spineスイッチとの間に接続が設定される、請求項２に記載のネットワーキング方法。
【請求項６】
新たなLeafスイッチが、いずれかの配置ユニットの内部に追加され、前記新たに追加されたLeafスイッチと、前記新たに追加されたLeafスイッチが位置する前記配置ユニットの内部の少なくとも２つのSpineスイッチのそれぞれとの間に接続が設定される、請求項１に記載のネットワーキング方法。
【請求項７】
新たなLeafスイッチが、いずれかの配置ユニットの内部に追加され、前記新たに追加されたLeafスイッチと、前記新たに追加されたLeafスイッチが位置する前記配置ユニットの内部の各Spineスイッチとの間に接続が設定される、請求項２乃至６のうちいずれか１項に記載のネットワーキング方法。
【請求項８】
新たなSpineスイッチが、いずれかの配置ユニットの内部に追加され、前記新たに追加されたSpineスイッチと、前記新たに追加されたSpineスイッチが位置する前記配置ユニットの内部の各Leafスイッチとの間に接続が設定される、請求項２又は３に記載のネットワーキング方法。
【請求項９】
新たなSpineスイッチが、いずれかの配置ユニットの内部に追加され、前記新たに追加されたSpineスイッチと、前記新たに追加されたSpineスイッチが位置する前記配置ユニットの内部の各Leafスイッチとの間に接続が設定され、前記新たに追加されたSpineスイッチと、前記少なくとも２つの配置ユニットに含まれる前記Spineスイッチ内の他のSpineスイッチのそれぞれとの間に接続が設定される、請求項４に記載のネットワーキング方法。
【請求項１０】
新たなSpineスイッチが、いずれかの配置ユニットの内部に追加され、前記新たに追加されたSpineスイッチが前記Spineスイッチ・グループに含まれると決定され、前記新たに追加されたSpineスイッチと、前記新たに追加されたSpineスイッチが位置する前記配置ユニットの内部の各Leafスイッチとの間に接続が設定され、前記新たに追加されたSpineスイッチと、前記少なくとも２つの配置ユニットの内部にあり、前記新たに追加されたSpineスイッチが位置する前記Spineスイッチ・グループの外部に位置する他のSpineスイッチのそれぞれとの間に接続が設定される、請求項５に記載のネットワーキング方法。
【請求項１１】
新たな配置ユニットが、前記少なくとも２つの配置ユニットを含む前記データ・センタ・ネットワーク内に追加され、前記新たに追加された配置ユニットは、少なくとも２つのSpineスイッチと少なくとも１つのLeafスイッチとを含み、
前記新たに追加された配置ユニットの内部で各Leafスイッチと、前記少なくとも２つのSpineスイッチとの間に接続が設定され、
少なくとも１つのSpineスイッチが、前記新たに追加された配置ユニットから選択され、前記選択された少なくとも１つのSpineスイッチと、他の配置ユニットのそれぞれの内部にあり、前記新たに追加された配置ユニットの外部にある少なくとも１つのSpineスイッチとの間に接続が設定される、請求項２に記載のネットワーキング方法。
【請求項１２】
新たな配置ユニットが、前記少なくとも２つの配置ユニットを含む前記データ・センタ・ネットワーク内に追加され、前記新たに追加された配置ユニットは、少なくとも２つのSpineスイッチと少なくとも１つのLeafスイッチとを含み、
前記新たに追加された配置ユニットの内部で各Spineスイッチと、各Leafスイッチとの間に接続が設定され、
少なくとも１つのSpineスイッチが、前記新たに追加された配置ユニットから選択され、前記選択された少なくとも１つのSpineスイッチと、他の配置ユニットのそれぞれの内部にあり、前記新たに追加された配置ユニットの外部にある少なくとも１つのSpineスイッチとの間に接続が設定される、請求項２に記載のネットワーキング方法。
【請求項１３】
新たな配置ユニットが、前記少なくとも２つの配置ユニットを含む前記データ・センタ・ネットワーク内に追加され、前記新たに追加された配置ユニットは、少なくとも２つのSpineスイッチと少なくとも１つのLeafスイッチとを含み、
前記新たに追加された配置ユニットの内部にある各Spineスイッチと、各Leafスイッチとの間に接続が設定され、
少なくとも１つのSpineスイッチが、前記新たに追加された配置ユニットから選択され、前記選択された少なくとも１つのSpineスイッチと、前記Spineスイッチ・グループの内部の各Spineスイッチとの間に接続が設定される、請求項３に記載のネットワーキング方法。
【請求項１４】
新たな配置ユニットが、前記少なくとも２つの配置ユニットを含む前記データ・センタ・ネットワーク内に追加され、前記新たに追加された配置ユニットは、少なくとも２つのSpineスイッチと少なくとも１つのLeafスイッチとを含み、
前記新たに追加された配置ユニットの内部にある各Spineスイッチと、各Leafスイッチとの間に接続が設定され、
前記新たに追加された配置ユニットの内部の各Spineスイッチと、前記データ・センタ・ネットワークに含まれる前記少なくとも２つの配置ユニットの内部の各Spineスイッチとの間に接続が設定される、請求項４に記載のネットワーキング方法。
【請求項１５】
新たな配置ユニットが、前記少なくとも２つの配置ユニットを含む前記データ・センタ・ネットワーク内に追加され、前記新たに追加された配置ユニットは、少なくとも２つのSpineスイッチと少なくとも１つのLeafスイッチとを含み、
前記新たに追加された配置ユニットの内部にある各Spineスイッチと、各Leafスイッチとの間に接続が設定され、
少なくとも１つのSpineスイッチが、前記Spineスイッチ・グループに含まれることになる前記新たに追加された配置ユニットから選択され、
前記Spineスイッチ・グループに含まれることになる前記新たに追加された配置ユニットから選択された前記少なくとも１つのSpineスイッチと、前記Spineスイッチ・グループの外部に位置する各Spineスイッチとの間に接続が設定される、請求項５に記載のネットワーキング方法。
【請求項１６】
少なくとも１つの配置ユニットが、前記データ・センタ・ネットワークに含まれる前記少なくとも２つの配置ユニットから選択され、外部ネットワークは、前記少なくとも１つの配置ユニットの内部の少なくとも１つのSpineスイッチのポート又は前記少なくとも１つの配置ユニットの内部の少なくとも１つのLeafスイッチのポートを使用することにより接続される、請求項１乃至１５のうちいずれか１項に記載のネットワーキング方法。
【請求項１７】
前記Spineスイッチ及び前記Leafスイッチは、商用ネットワーク・スイッチ又は特定用途向け集積回路（ASIC）チップである、請求項１乃至１６のうちいずれか１項に記載のネットワーキング方法。
【請求項１８】
少なくとも２つの配置ユニットを含むデータ・センタ・ネットワークであり、各配置ユニットは、少なくとも２つのSpineスイッチと少なくとも１つのLeafスイッチとを含むデータ・センタ・ネットワークであって、
各配置ユニットの内部で、現在の配置ユニットの内部の各Leafスイッチは、前記現在の配置ユニットの内部の前記Spineスイッチのうち少なくとも２つのSpineスイッチに接続され、
２つの配置ユニットごとの間で、第１の配置ユニットの内部の少なくとも１つのSpineスイッチは、第２の配置ユニットの内部の少なくとも１つのSpineスイッチに接続されるデータ・センタ・ネットワーク。
【請求項１９】
各配置ユニットの内部で、前記現在の配置ユニットの内部の各Spineスイッチは、前記現在の配置ユニットの内部の各Leafスイッチに接続される、請求項１８に記載のデータ・センタ・ネットワーク。
【請求項２０】
少なくとも１つのSpineスイッチ・グループが、前記少なくとも２つの配置ユニットに含まれるSpineスイッチから決定され、前記Spineスイッチ・グループは、各配置ユニットの少なくとも１つのSpineスイッチを含み、前記Spineスイッチ・グループの内部で、各配置ユニットの各Spineスイッチは、他の配置ユニットのそれぞれの各Spineスイッチに接続される、請求項１９に記載のデータ・センタ・ネットワーク。
【請求項２１】
前記少なくとも２つの配置ユニットに含まれるSpineスイッチにおいて、各Spineスイッチは、前記少なくとも２つの配置ユニットの内部の他のSpineスイッチのそれぞれに接続される、請求項１９に記載のデータ・センタ・ネットワーク。
【請求項２２】
少なくとも１つのSpineスイッチ・グループが、前記少なくとも２つの配置ユニットに含まれるSpineスイッチから決定され、前記Spineスイッチ・グループは、各配置ユニットの少なくとも１つのSpineスイッチを含み、前記Spineスイッチ・グループの内部の各Spineスイッチは、前記Spineスイッチが位置する前記Spineスイッチ・グループの外部の各Spineスイッチに接続される、請求項１９に記載のデータ・センタ・ネットワーク。
【請求項２３】
外部ネットワークは、前記データ・センタ・ネットワーク内の少なくとも１つの配置ユニットの少なくとも１つのSpineスイッチのポート又は前記データ・センタ・ネットワーク内の少なくとも１つの配置ユニットの少なくとも１つのLeafスイッチのポートを使用することにより接続される、請求項１８乃至２２のうちいずれか１項に記載のデータ・センタ・ネットワーク。
【請求項２４】
前記Spineスイッチ及び前記Leafスイッチは、商用ネットワーク・スイッチ又は特定用途向け集積回路（ASIC）チップである、請求項１８乃至２３のうちいずれか１項に記載のデータ・センタ・ネットワーク。
【手続補正２】
【補正対象書類名】明細書
【補正対象項目名】００４６
【補正方法】変更
【補正の内容】
【００４６】
各仮想スイッチ145は、仮想マシン・ネットワーク及び／又は仮想マシン・サブネット内の仮想マシンの間の通信を管理するように構成されてもよく、仮想マシン・ネットワーク及び／又は仮想マシン・サブネットは、仮想マシンを含む。各仮想スイッチ145は、サーバ135上で実行するソフトウェアを使用することにより実現される。このように、仮想スイッチ145は、物理スイッチの機能を実現することができる。同様に、各仮想マシン150は、サーバ135上で実行するソフトウェアを使用することにより実現される。仮想マシン150は、ファブリック（Fabric）155を使用することにより、他の仮想マシンと通信するように構成される。データ・センタ・システム100では、任意の数量のサーバが存在してもよく、各サーバは、任意の数量の仮想スイッチ及び任意の数量の仮想マシンを収容することができる。説明を簡単にするために、図１は、１つのサーバ135と、サーバ135に関連するLeafスイッチ125と、１つのサーバ140と、サーバ140に関連するLeafスイッチ130とを含む。例では、仮想スイッチ145は、サーバ135上の複数の仮想スイッチの間の通信を管理してもよい。